(57)【要約】【課題】所望の構成を有する情報処理装置を簡易に提供すること。【解決手段】ルータ１０１の読み出し部１０２は、ネットワーク１００を介して得る情報処理装置の処理能力を規定する情報を記録媒体から読み出す。要求部１０３は、読み出し部が読み出した情報を作成装置１１に送出して、処理能力の規定を満たす情報処理装置の提供を要求する。作成装置１１１は、規定を満たす仮想マシンを提供装置１１２として作成し、ネットワーク１００に接続する。ルータ１０１のルーティング部１０４は、ネットワーク１００と外部装置１１３との間でルーティングを行なうことで、提供装置１１２と外部装置１１３との通信を中継する。このため、外部装置１１３は、提供装置１１２を自身に割り当てられた装置として使用することができる。【選択図】図１
2011160300.tif 000002
【特許請求の範囲】
【請求項１】
仮想私設通信網と外部装置との間でルーティングを行なうルーティング部と、
前記仮想私設通信網を介して前記外部装置と通信する情報処理装置の処理能力を規定する情報を記録媒体から読み出す読み出し部と、
前記読み出し部が読み出した情報を送出して前記処理能力の規定を満たす情報処理装置の提供を要求する要求部と、
を備えたことを特徴とするルータ。
【請求項２】
前記読み出し部は、可搬記録媒体に対するアクセスを開始した場合に前記可搬記録媒体に記録された前記情報を読み出することを特徴とする請求項１に記載のルータ。
【請求項３】
前記要求部は、予め規定されたネットワークアドレスを有する装置に対して前記情報を送出し、当該情報を受信した装置は、当該情報に規定された処理能力を満たす仮想マシンを構築して前記情報処理装置として提供することを特徴とする請求項１または２に記載のルータ。
【請求項４】
前記処理能力として、前記情報処理装置が有するハードウエア資源と前記情報処理装置が実行するオペレーティングシステムを規定することを特徴とする請求項１〜３のいずれか一つに記載のルータ。
【請求項５】
仮想私設通信網を介して外部装置と通信する情報処理装置の処理能力を規定する情報を記録媒体から読み出すステップと、
読み出した情報を送出して前記処理能力の規定を満たす情報処理装置の提供を要求するステップと、
前記仮想私設通信網と前記外部装置との間でルーティングして前記外部装置と前記情報処理装置との通信を中継するステップと
を含んだことを特徴とするルーティング方法。
【請求項６】
仮想私設通信網を介して外部装置と通信する情報処理装置の処理能力を規定する情報を記録媒体から読み出す手順と、
読み出した情報を送出して前記処理能力の規定を満たす情報処理装置の提供を要求する手順と、
前記仮想私設通信網と前記外部装置との間でルーティングして前記外部装置と前記情報処理装置との通信を中継する手順と
をコンピュータに実行させることを特徴とするルーティングプログラム。
【請求項７】
仮想私設通信網を介して接続されたルータから当該ルータを経由して接続する外部装置に提供する情報処理装置の処理能力を規定する情報を受信する受信部と、
前記情報が規定する処理能力を満たす仮想マシンを構築する仮想マシン管理部と、
前記仮想マシンに関する情報を前記ルータに送信する送信部と
を備えたことを特徴とする情報処理装置。
【請求項８】
仮想私設通信網を介して接続されたルータから当該ルータを経由して接続する外部装置に提供する情報処理装置の処理能力を規定する情報を受信するステップと、
前記情報が規定する処理能力を満たす仮想マシンを構築するステップと、
前記仮想マシンに関する情報を前記ルータに送信するステップと
を含んだことを特徴とする仮想マシン構築方法。
【請求項９】
仮想私設通信網を介して接続されたルータから当該ルータを経由して接続する外部装置に提供する情報処理装置の処理能力を規定する情報を受信する手順と、
前記情報が規定する処理能力を満たす仮想マシンを構築する手順と、
前記仮想マシンに関する情報を前記ルータに送信する手順と
をコンピュータに実行させることを特徴とする仮想マシン構築プログラム。
【発明の詳細な説明】
【技術分野】
【０００１】
本発明は、ルータ、ルーティング方法、ルーティングプログラム、情報処理装置、仮想マシン構築方法および仮想マシン構築プログラムに関する。
【背景技術】
【０００２】
従来より、インターネットサービスプロバイダ（ISP）に接続するルータの設定情報をネットワークから取得することにより、ルータ購入者によるルータ内のインターネット接続の設定を容易にする技術が知られている。この技術では、ルータがモデムに接続されたとき、ルータはブロードバンドアクセスサーバにアクセスし、RADIUSサーバに認証された後、機器認証サーバにおいて、機器認証される。その後、ルータはISPダウンロードサーバより、ISPサーバに接続する際に使用する設定情報を取得する。ルータは、取得した設定情報を自らに設定し、その設定情報を基に、ISPサーバに接続し、ISPサーバ経由で、インターネット上のWEBページのHTMLなどを取得する。
【０００３】
また、従来より、クラウドデータセンタ上の仮想マシンを利用したシステムを、顧客のイントラネットから利用する技術が知られている。このシステムでは、クラウドデータセンタ内の物理サーバが、顧客の業務を実行する仮想マシンを起動し、顧客のイントラネットに接続される端末（例えば、コンピュータ）に顧客の業務に利用可能なサービスを提供している。
【先行技術文献】
【特許文献】
【０００４】
【特許文献１】特開２００４−１９９６５２号公報
【特許文献２】特開２００９−４８６０７号公報
【特許文献３】特開２００９−１３４６８７号公報
【特許文献４】特開２００９−１１６８５９号公報
【特許文献５】特開２００３−３３０７２８号公報
【発明の概要】
【発明が解決しようとする課題】
【０００５】
しかしながら、従来の技術では、クラウドデータセンタのエンジニアが、顧客の要望に応じて、仮想マシンを含むシステムの論理設計や構築作業をすることとなる。また、顧客もクラウドデータセンタの仮想マシンへ接続するための設定作業を行うこととなる。このため、クラウドデータセンタのエンジニア及び顧客に作業負担がかかるという課題があった。
【０００６】
ルータを顧客のイントラネットに設置し、顧客の端末が自動的に顧客のイントラネット及びルータを介してクラウドデータセンタ内の仮想マシンにアクセスすれば作業を軽減することができる。しかし、顧客の端末がアクセスするクラウドデータセンタ内の仮想マシンが固定されてしまうという課題があった。
【０００７】
開示の技術は、上記に鑑みてなされたものであって、所望の構成を有する情報処理装置を簡易に提供するルータ、ルーティング方法、ルーティングプログラム、情報処理装置、仮想マシン構築方法および仮想マシン構築プログラムを提供することを目的とする。
【課題を解決するための手段】
【０００８】
本願の開示するルータ、ルーティング方法、ルーティングプログラムは、仮想私設通信網を介して外部装置と通信する情報処理装置の処理能力を規定する情報を記録媒体から読み出して送出し、処理能力の規定を満たす情報処理装置の提供を要求する。そして、提供された装置と外部装置との間でルーティングしてに外部装置と情報処理装置との通信を中継する。
【０００９】
また、本願の開示する情報処理装置、仮想マシン構築方法および仮想マシン構築プログラムは、仮想私設通信網を介して接続されたルータから当該ルータを経由して接続する外部装置に提供する情報処理装置の処理能力を規定する情報を受信する。そして、開示の装置、方法、プログラムは、受信した情報が規定する処理能力を満たす仮想マシンを構築し、構築した仮想マシンに関する情報をルータに送信する。
【発明の効果】
【００１０】
本願の開示するルータ、ルーティング方法、ルーティングプログラム、情報処理装置、仮想マシン構築方法および仮想マシン構築プログラムによれば、所望の構成を有する情報処理装置を簡易に提供することができるという効果を奏する。
【図面の簡単な説明】
【００１１】
【図１】図１は、実施例１にかかるルータを含むシステムの構成図である。
【図２】図２は、実施例２にかかるルータを含むシステムの構成図である。
【図３】図３は、データベースの構成図である。
【図４】図４（Ａ）は、ＩＴセルのハードウエア構成を示すブロック図である。図４（Ｂ）は、管理サーバのルータ管理部の機能構成を示すブロック図である。
【図５】図５（Ａ）は、ルータのハードウエア構成を示すブロック図である。図５（Ｂ）は、ルータの機能構成を示すブロック図である。
【図６】図６は、ルータが実行する処理を示すフローチャートである。
【図７】図７は、ルータ管理部が実行する処理を示すフローチャートである。
【図８】図８は、ＩＴセル管理部が実行する処理を示すフローチャートである。
【図９】図９は、Ｗｅｂサーバを起動する仮想マシンを有するＩＴセルが実行する処理を示すフローチャートである。
【図１０】図１０は、情報管理システムが実行する処理のシーケンスを示す図である。
【図１１】図１１は、情報管理システムが実行する処理のシーケンスを示す図である。
【発明を実施するための形態】
【００１２】
以下に、本願の開示するルータ、ルーティング方法、ルーティングプログラム、情報処理装置、仮想マシン構築方法および仮想マシン構築プログラムの実施例を図面に基づいて詳細に説明する。なお、以下の具体的な実施例に本発明を限定するものではない。
【実施例１】
【００１３】
・システムの構成
図１は、実施例１にかかるルータを含むシステムの構成図である。図１に示したルータ１０１は、ネットワーク１００と外部装置１１３（１又は複数あってもよい）に接続される。ルータ１０１は、仮想施設通信網であるネットワーク１００に接続された情報処理装置と外部装置１１３との間の通信を中継する。情報処理装置とは、例えば作成装置１１１や提供装置１１２である。
【００１４】
例えば、情報処理装置としてネットワーク１００に接続された提供装置１１２をサーバとし、このサーバと外部装置１１３が通信すると、外部装置１１３は、ＬＡＮ（Local Area Network）で接続されたようにこのサーバを利用することができる。
【００１５】
したがって、外部装置１１３から利用したい処理理能力を有する情報処理装置をネットワーク１００に接続することで、外部装置１１３に各種サービスを提供することができる。外部装置１１３側、すなわち利用者側では、サーバ筐体などを購入することなく、ルータの導入と設定によって仮想的な情報処理装置を利用することが可能となる。
【００１６】
利用者側が利用する情報処理装置の設定は、例えば利用する情報処理装置のＯＳや、ＨＤＤ容量、メモリ容量などの指定を含む。図１に示したルータ１０１は、これらの設定作業の労力を軽減するため、読み出し部１０２と要求部１０３を有する。
【００１７】
読み出し部１０２は、外部装置１１３を用いて利用することを希望する情報処理装置の処理能力がいかなるものかを定めた情報（処理能力を規定する情報）を記録媒体から読み出す。要求部１０３は、読み出し部が読み出した情報を送出して、処理能力の規定を満たす情報処理装置の提供を要求する。記録媒体は、例えば出荷前に予め例えば利用する情報処理装置のＯＳや、ＨＤＤ容量、メモリ容量などの情報が書き込まれる。この場合、利用者は、外部装置１１３を用いて利用することを希望する情報処理装置に合った情報が記録された記録媒体を選択して購入する。
【００１８】
具体的には、要求部１０３は、予め規定されたネットワークアドレスを有する装置である作成装置１１１に対して情報を送出する。作成装置１１１は、受信した情報に規定された処理能力を満たす情報処理装置である提供装置１１２をルータ１０１に割り当てる。
【００１９】
ルータ１０１のルーティング部１０４は、ネットワーク１００と外部装置１１３との間でルーティングを行なうことで、提供装置１１２と外部装置１１３との通信を中継する。このため、外部装置１１３は、提供装置１１２を自身に割り当てられた装置として使用することができる。
【００２０】
・実施例１のまとめ
上述してきたように、本実施例に開示したルータ１０１は、提供を受ける情報処理装置の処理能力を規定する情報を記録媒体から読み出して設定を行なう。このため、利用者側では、所望の処理能力を情報として記録した記録媒体を選択して購入し、ルータ１０１にセットすればよく、簡易な作業で仮想的な情報処理装置を導入することができる。
【実施例２】
【００２１】
・システムの構成
図２は、実施例２にかかるルータを含む情報管理システムの構成図である。図２に示した情報管理システム１は、ＶＭ（Virtual Machine）サービスデータセンタ２、通信事業者が提供するＰＰＰｏＥ（Point to Point Protocol over Ethernet（登録商標））網３、ルータ４、顧客用イントラネット５、及び顧客ＰＣ（Personal Computer）６を備えている。
【００２２】
ＰＰＰｏＥは、ＰＰＰ（Point to Point Protocol）の機能をイーサネット（登録商標）を通して利用するプロトコルであり、後述する仮想私設通信網用のプロトコルである。ＰＰＰｏＥ網３はワイドエリアネットワーク（WAN）である。ルータ４は、ＶＭサービスデータセンタ２に接続するためのクラウドコンピューティング用のルータである。また、ルータ４は顧客ＰＣ６に直接接続されていてもよい。外部装置の一例として顧客ＰＣ６が挙げられる。
【００２３】
ＶＭサービスデータセンタ２は、顧客ＰＣ６に対して、ＰＰＰｏＥ網３経由でソフトウェアパッケージやアプリケーション実行用のプラットフォームなどのサービスを提供するクラウドコンピューティング用のサービスセンタである。また、ＶＭサービスデータセンタ２は、物理サーバで構成される複数のＩＴ（Information Technology）セル１１と、ゲートウエイサーバで構成される複数のＧＷ（Gateway）セル１２と、管理サーバ１４とを備えている。
【００２４】
管理サーバ１４は、ＬＡＮ（Local Area Network）１３を介して複数のＩＴセル１１及び複数のＧＷセル１２に接続されている。ＩＴセル１１は、情報処理装置の一例である。管理サーバ１４は、情報管理装置の一例である。
【００２５】
ＩＴセル１１は、顧客ＰＣ６に提供するサービスを起動する仮想マシン１７と、仮想マシン１７からのデータの出力及び仮想マシン１７へのデータの入力を制御する仮想ルータ１８と備えている。仮想マシン１７は、仮想ルータ１８に１対１の関係で接続されている。また、ＩＴセル１１は、複数の仮想マシン１７及び複数の仮想ルータ１８を備えていてもよい。仮想マシン１７は、仮想ＯＳや、顧客へ提供するアプリケーションなどを起動している。仮想マシン１７及び仮想ルータ１８はソフトウエアで実現される。また、仮想ルータ１８は、特定の顧客ＰＣからのアクセスのみを受け付けるファイアーウォールルータである。
【００２６】
ＧＷセル１２は、ゲートウエイプログラムを有し、ゲートウエイプログラムを実行することにより、仮想ルータ１８とＰＰＰｏＥ網３との間でデータの橋渡しを行う。
【００２７】
管理サーバ１４は、ＩＴセル管理部１５（管理手段）と、ルータ管理部１６とを備えている。ＩＴセル管理部１５は、データベース（ＤＢ）１５Ａを備えている。
【００２８】
図３は、データベース１５Ａの構成図である。データベース１５Ａには、ルータ４から受信するＶＭ機器情報に関連付けられた、仮想マシン、仮想ルータ、ＩＴセル及びＧＷセルのＩＤ番号が登録されている。ＶＭ機器情報は、仮想マシン１７及び仮想モデム１８を起動するＩＴセル１１を特定する情報であり、具体的には、ＩＴセル１１が有するＯＳ（Operating System）及びＩＴセル１１が有するハードウエア資源の情報である。また、ＶＭ機器情報は、情報処理装置に関する情報の一例である。
【００２９】
図３の例では、ＯＳは「windows server 2008」、「windows server 2000」及び「windows server 2007」である。ハードウエア資源は、「HDD 2TB, 2GB mem」、「HDD 1TB, 4GB mem」及び「HDD 2TB, 8GB mem」である。図３において、データベース１５Ａのセル１５Ｂは「作成」となっている。これは、ＩＴセル１１が新たな仮想マシン１７及び新たな仮想モデム１８を作成することを示す。
【００３０】
ＩＴセル管理部１５は、ルータ４からＶＭ機器情報を受信すると、ＶＭ機器情報に基づいて、データベース１５Ａに登録されている仮想マシン１７、仮想モデム１８、ＩＴセル１１、及びＧＷセル１２を選択する。ＩＴセル管理部１５は、選択したＩＴセル１１及びＧＷセル１２を起動する。このとき、データベース１５Ａのセル１５Ｂが「作成」になっている場合には、新たな仮想マシン１７及び新たな仮想モデム１８のＩＤ番号をデータベース１５Ａに登録し、新たな仮想マシン１７及び新たな仮想モデム１８を作成して起動する。
【００３１】
ＩＴセル管理部１５は、各ＩＴセル１１の動作を管理する。また、ルータ管理部１６は、通信事業者が開設したIP-VPN（IP-Virtual Private Network）上で、ルータ４及びＧＷセル１２との間のＰＰＰｏＥセッションの通信を確立する。IP-VPNは、通信事業者の保有する広域IP通信網を経由して構築される仮想私設通信網（VPN）である。図２では、IP-VPNは、ＶＭサービスデータセンタ２からＰＰＰｏＥ網３を介してルータ４まで接続する仮想私設通信網（VPN）である。IP-VPNの例としては、通信事業者が提供する、フレッツ・VPNワイドやFENICSビジネスIPネットワークサービスなどがある。
【００３２】
また、ルータ管理部１６は、ルータ４に仮想ルータ１８のＩＰアドレスを通知し、仮想ルータ１８にルータ４のＩＰアドレスを通知し、ルータ４及び仮想ルータ１８の間のEthernet over IPによる通信を確立する。さらに、ルータ管理部１６は、ＩＴセル管理部１５に、仮想マシン１７を起動するＩＴセル１１にＰＰＰｏＥセッションの通信を実行するＧＷセル１２を割り当てるように依頼する。ＩＴセル管理部１５及びルータ管理部１６は、１台の管理サーバに含まれているが、別々のサーバに設けられていてもよい。
【００３３】
通信事業者は、ＶＭサービスデータセンタ２とルータ４との間で光通信（FTTH）のIP-VPNとしてのＰＰＰｏＥ網３を提供する。また、通信事業者は、遠隔地のコンピュータネットワークへ接続するためのサービスであるＲＡＳ２０を有しており、このＲＡＳ２０を使って、仮想ルータ１８とルータ４との間のＰＰＰｏＥセッションの通信を実行する。
【００３４】
図２の複数の仮想マシン１７において、１つの仮想マシン１７が、Ｗｅｂサーバ１９を起動している。このＷｅｂサーバ１９は、ルータ４からの要求を受けて仮想マシン１７を構築し、提供する。
【００３５】
ルータ４は、提供を希望する情報処理装置の処理能力、すなわちＶＭ機器の設定を規定する情報を記録媒体から読み出して、Ｗｅｂサーバ１９に送信する。具体的には、設定情報としては、ＶＭ機器のＯＳやハードウエア資源、例えばハードディスク容量やメモリ容量、アプリケーションが記録されている。利用者は、例えば希望に合致する情報を記録したＳＤ（Secure Digital）カードを購入し、ルータ４に挿入することで、ＶＭ機器の設定を要求する。
【００３６】
ルータ４がＳＤカード７から読み出したＶＭ機器情報は、Ｗｅｂサーバ１９に通知され、Ｗｅｂサーバ１９は、受信したＶＭ機器情報をＩＴセル管理部１５に送信する。ＩＴセル管理部１５は、ＶＭ機器情報に基づいて、データベース１５Ａに登録されているＩＴセル１１及びＧＷセル１２を起動する。ＩＴセル管理部１５は、新たな仮想マシン１７及び新たな仮想モデム１８のＩＤ番号をデータベース１５Ａに登録し、新たな仮想マシン１７及び新たな仮想モデム１８を作成し、起動する。
【００３７】
以上のように構成された情報管理システム１では、顧客がルータ４をＰＰＰｏＥ網３と顧客用イントラネット５との間に接続し、ＳＤカード７を挿入すると、ＶＭサービスデータセンタ２は、顧客ＰＣ６が仮想マシン１７を動作するＩＴセル１１を構築する。
【００３８】
・装置の構成
図４（Ａ）は、ＩＴセル１１のハードウエア構成を示すブロック図である。図４（Ｂ）は、管理サーバ１４のルータ管理部１６の機能構成を示すブロック図である。
【００３９】
図４（Ａ）において、ＩＴセル１１は、装置全体を制御するＣＰＵ５１、制御プログラムを備えるＲＯＭ５２、及びワーキングエリアとして機能するＲＡＭ５３を備えている。また、ＩＴセル１１は、各種の情報やプログラムを備えるハードディスクドライブ（ＨＤＤ）５４、及びＬＡＮ１３と接続するためのネットワークインタフェース５５を備えている。
【００４０】
ＣＰＵ５１は、システムバス５６を介してＲＯＭ５２、ＲＡＭ５３、ＨＤＤ５４、及びネットワークインタフェース５５に接続されている。ＩＴセル１１のハードウエア構成は、管理サーバ１４及びＧＷセル１２のハードウエア構成と同一であるので、管理サーバ１４及びＧＷセル１２のハードウエア構成の説明は省略する。尚、図２のＩＴセル管理部１５及びルータ管理部１６は、管理サーバ１４のＣＰＵ５１が、管理サーバ１４のＲＯＭ５２又はＨＤＤ５４に格納されている制御プログラムを実行することによって実現される。また、図２のデータベース１５Ａは、管理サーバ１４のＨＤＤ５４に格納されている。
【００４１】
図４（Ｂ）において、ルータ管理部１６は、受信部６１、依頼部６２、取得部６３、指示部６４、及び送信部６５を備えている。
【００４２】
受信部６１は、ルータ４がＰＰＰｏＥ網３と顧客用イントラネット５との間に接続されたときに、ＶＭ機器情報をルータ４から受信する。依頼部６２は、運用段階用のIP-VPNの作成、及び２組の運用段階用ＰＰＰｏＥ設定情報の作成を通信事業者に依頼する。取得部６３は、ＶＭ機器情報に基づいて、ＶＭサービスデータセンタ２内の起動すべきＩＴセル１１、起動すべき仮想マシン１７、起動すべき仮想ルータ１８及び起動すべきＧＷセル１２の情報を取得する。ここで、ＩＴセル１１の情報は、ＩＴセル１１を特定するＩＤ番号である。仮想マシン１７の情報は、仮想マシン１７を特定するＩＤ番号である。仮想ルータ１８の情報は、仮想ルータ１８を特定するＩＤ番号である。また、ＧＷセル１２の情報は、ＧＷセル１２を特定するＩＤ番号である。
【００４３】
さらに、取得部６３は、２組の運用段階用ＰＰＰｏＥ設定情報を通信事業者から取得する。運用段階用ＰＰＰｏＥ設定情報については、後述する。指示部６４は、起動すべき仮想マシン１７及び起動すべき仮想ルータ１８の情報に対応する仮想マシン１７及び仮想ルータ１８の起動をＩＴセル管理部１５に指示する。送信部６５は、１組の運用段階用ＰＰＰｏＥ設定情報をルータ４へ送信し、他の１組の運用段階用ＰＰＰｏＥ設定情報を、起動すべきＧＷセル１２の情報に対応するＧＷセル１２へ送信する。また、送信部６５は、起動した仮想ルータ１８のＩＰアドレスをルータ４に送信し、ルータ４のＩＰアドレスを起動した仮想ルータ１８に送信する。
【００４４】
受信部６１、取得部６３及び送信部６５は、管理サーバ１４のＣＰＵ５１及びネットワークインタフェース５５により実現される。依頼部６２及び指示部６４は、管理サーバ１４のＣＰＵ５１が所定の制御プログラムを実行することにより実現される。
【００４５】
図５（Ａ）は、ルータ４のハードウエア構成を示すブロック図である。図５（Ｂ）は、ルータ４の機能構成を示すブロック図である。
【００４６】
図５（Ａ）に示すように、ルータ４は、ルータ４の全体動作を制御するマイコン７１、及び制御プログラムやデータを格納するメモリ７２を備えている。また、ルータ４は、ＰＰＰｏＥ網３と接続するためのＷＡＮ（Wide Area Network）側インターフェース７３、及び顧客用イントラネット５と接続するためのＬＡＮ側インターフェース７４を備えている。さらに、ルータ４は、ＳＤカードリーダ７６を備えている。マイコン７１はバス７５を介してメモリ７２、ＷＡＮ側インターフェース７３、ＬＡＮ側インターフェース７４及びＳＤカードリーダ７６に接続されている。
【００４７】
メモリ７２は、仮想マシンに接続するためのスクリプト、設定段階用ＰＰＰｏＥ設定情報、及びＶＭ機器情報を格納している。設定段階用ＰＰＰｏＥ設定情報は、ＰＰＰｏＥユーザ名とパスワードを含む。設定段階用ＰＰＰｏＥ設定情報は、ルータ４がＰＰＰｏＥを使って、ＰＰＰｏＥ網３を介してＶＭサービスデータセンタ２に最初に接続するための情報である。ＰＰＰｏＥユーザ名は、例えば、「faucet-user-123456@facet.sop.fujitsu.com」であり、ＶＭサービスデータセンタ２を特定するドメイン名及びルータ４の固有のＩＤで構成されている。また、メモリ７２に格納されているＶＭ機器情報は、Ｗｅｂサーバ１９を起動しているＩＴセル１１を特定するＶＭ機器情報である。従って、顧客ＰＣ６がルータ４を介して最初にアクセスする仮想マシン１７は、Ｗｅｂサーバ１９を起動する仮想マシン１７である。
【００４８】
図５（Ｂ）に示すように、ルータ４は、ＰＰＰｏＥ処理部７７、ルーティング処理部７８、ＰＰＰｏＥ認証情報データベース（ＤＢ）７９、ＷＡＮ側インターフェース７３及びＬＡＮ側インターフェース７４を備えている。また、ルータ４は、要求部８０とＳＤカードリーダ７６を備えている。ＰＰＰｏＥ認証情報ＤＢ７９は、設定段階用ＰＰＰｏＥ設定情報を格納している。また、ＰＰＰｏＥ認証情報ＤＢ７９は、メモリ７２に格納されている。
【００４９】
ＰＰＰｏＥ処理部７７は、ＰＰＰｏＥ認証情報ＤＢ７９に格納された設定段階用ＰＰＰｏＥ設定情報を使ってＰＰＰｏＥ網３を介してＶＭサービスデータセンタ２に最初に接続する処理を実行する。さらに、ＰＰＰｏＥ処理部７７は、運用段階用ＰＰＰｏＥ設定情報を使ってＰＰＰｏＥ網３を介してＶＭサービスデータセンタ２に接続する処理を実行する。運用段階用ＰＰＰｏＥ設定情報は、ルータ４を運用段階用のIP-PVNに接続するためのＰＰＰｏＥ−ＩＤ及びパスワードを含み、ルータ管理部１６から取得される。運用段階用ＰＰＰｏＥ設定情報は、仮想私設通信網用のプロトコルの設定情報の一例である。また、複数の顧客が設定段階時に同一のＧＷセル１２を利用してＶＭサービスデータセンタ２にアクセスするため、ルータ管理部１６は、運用段階時に顧客毎に別々のＧＷセル１２を割り当てることで情報のセキュリティを高めている。このため、設定段階用ＰＰＰｏＥ設定情報と運用段階用ＰＰＰｏＥ設定情報とを分けている。
【００５０】
ルーティング処理部７８は、ＩＴセル管理部１５で選択された仮想ルータ１８のＩＰアドレスをルータ管理部１６から取得し、ＩＴセル管理部１５で選択された仮想ルータ１８と、Ethernet over IPによる通信を行う。これにより、Ethernet over IPによるデータ通信が顧客ＰＣ６とＩＴセル管理部１５で選択された仮想マシン１７との間で実行される。Ethernet over IPは、データ（具体的にはイーサフレーム）をＩＰパケット化し送受信する機能である。ＰＰＰｏＥ処理部７７及びルーティング処理部７８は、マイコン７１がメモリ７２に格納されている制御プログラムを実行することにより実現される。
【００５１】
・処理の説明
図６は、ルータ４が実行する処理を示すフローチャートである。前提として、顧客がルータ４のＷＡＮ側インターフェース７３に光通信ケーブルを接続し、ＬＡＮ側インターフェース７４にＬＡＮケーブルを接続し、ルータ４の電源を投入しているものとする。
【００５２】
まず、ＰＰＰｏＥ処理部７７が、ＰＰＰｏＥ認証情報ＤＢ７９に格納された設定段階用ＰＰＰｏＥ設定情報を使って設定段階のＰＰＰｏＥによるＧＷセル１２への通信路を開設する、即ち設定段階用のIP-VPNに接続する（ステップＳ１）。ステップＳ１により、ルータ４は、ＰＰＰｏＥ網３を介してＶＭサービスデータセンタ２のＧＷセル１２にアクセスする。
【００５３】
次いで、ＰＰＰｏＥ処理部７７は、接続開始を通知するための情報及びＰＰＰｏＥ認証情報ＤＢ７９に格納されたＶＭ機器情報をルータ管理部１６に送信する（ステップＳ２）。接続開始を通知するための情報は、例えば、接続開始を示すパケットである。また、ルータ管理部１６のホスト名が「faucet-mng.cloud.fujitsu.com」である場合には、ＰＰＰｏＥ処理部７７は、接続開始を示すパケット及びＶＭ機器情報を宛先「http://faucet-mng.cloud.fujitsu.com」に送信する。ステップＳ２で送信されるＶＭ機器情報は、Ｗｅｂサーバ１９を起動しているＩＴセル１１を特定するＶＭ機器情報である。
【００５４】
次に、ＰＰＰｏＥ処理部７７は、ＶＭ機器情報の返信として、運用段階用ＰＰＰｏＥ設定情報、即ち、ＰＰＰｏＥ−ＩＤ及びパスワードをルータ管理部１６から取得する（ステップＳ３）。ＰＰＰｏＥ処理部７７は、ルータ管理部１６から取得したＰＰＰｏＥ−ＩＤ及びパスワードを用いて、運用段階のＰＰＰｏＥによる、起動したＧＷセル１２への通信路を開設する、即ち運用段階用のIP-VPNに接続する（ステップＳ４）。ステップＳ４により、ルータ４は、イーサネットを使った仮想私設通信網で、起動したＧＷセル１２と接続できる。
【００５５】
その後、ルーティング処理部７８は、ＩＴセル管理部１５で選択された仮想ルータ１８のＩＰアドレスをルータ管理部１６から取得する（ステップＳ５）。例えば、ルーティング処理部７８は、ルータ管理部１６内の仮想ルータ１８のＩＰアドレスの登録先「http://faucet-mng.cloud.fujitsu.com/etherip-param」からＩＴセル管理部１５で選択された仮想ルータ１８のＩＰアドレスを取得する。ここで、ＩＴセル管理部１５で選択された仮想ルータ１８のＩＰアドレスは、Ｗｅｂサーバ１９を起動しているＩＴセル１１に接続される仮想ルータ１８のＩＰアドレスである。
【００５６】
ルーティング処理部７８は、Ethernet over IP機能、即ちデータをＩＰパケット化し、ＩＴセル管理部１５で選択された仮想ルータ１８との間でＩＰパケットを送受信する機能を設定する。これにより、ルータ４があたかもイーサネットで、ＩＴセル管理部１５で選択された仮想ルータ１８に接続される仮想マシン１７、即ちＷｅｂサーバ１９に直接つながっている状態を作成できる。同時に、ルーティング処理部７８は、取得した仮想ルータ１８のＩＰアドレスに基づいて、起動したＧＷセル１２からルータ４までの通信路を介してＩＴセル管理部１５で選択された仮想ルータ１８と通信する（ステップＳ６）。尚、ルータ４は、ＤＨＣＰ（Dynamic Host Configuration Protocol）を有し、顧客ＰＣ６にＩＰアドレスを割り当てるので、Ｗｅｂサーバ１９を起動する仮想マシン１７は、仮想ルータ１８及びルータ４を介して顧客ＰＣ６に接続される。また、ルータ４は、ルータ４のＩＰアドレスを顧客ＰＣ６のＩＰアドレスに割り当てるテーブル情報等を有していれば、ＤＨＣＰを有してなくてもよい。
【００５７】
ステップＳ１〜Ｓ６の工程により、顧客ＰＣ６は、ルータ４、ＰＰＰｏＥ網３（IP-VPN）、ＧＷセル１２及び仮想ルータ１８を介してEthernet over IPによりＷｅｂサーバ１９にアクセスすることができる。
【００５８】
次に、ルータ４のＳＤカードリーダ７６にＳＤからＶＭ機器情報を読み出し（ステップＳ７）、読み出したＶＭ機器情報を要求部８０がＷｅｂサーバ１９に送信する（ステップＳ８）。
【００５９】
ルーティング処理部７８は、ＶＭ機器情報に基づいて新たに起動した仮想ルータ１８のＩＰアドレスをルータ管理部１６に定期的に問い合わせ、仮想ルータ１８のＩＰアドレスをルータ管理部１６から取得する（ステップＳ９）。ここで、新たに起動された仮想ルータ１８がない場合には、ルーティング処理部７８は、新たに起動された仮想ルータ１８がないことを示す情報をルータ管理部１６から取得する。
【００６０】
ルーティング処理部７８は、Ethernet over IP機能を設定し、ステップＳ９で取得した仮想ルータ１８のＩＰアドレスに基づいて、当該仮想ルータ１８と通信する（ステップＳ１０）。その後、ステップＳ８に戻る。
【００６１】
ステップＳ７〜Ｓ１０の工程により、顧客ＰＣ６は、ＳＤカードから読み出されたＶＭ機器情報に基づいて新たに起動した仮想マシン１７とEthernet over IPにより通信することができる。また、ステップＳ８〜Ｓ１０の工程が繰り返されることで、顧客ＰＣ６は、新たに起動した複数の仮想マシン１７とEthernet over IPにより通信することができる。
【００６２】
図７は、ルータ管理部１６が実行する処理を示すフローチャートである。受信部６１は、接続開始を示すパケット及びＶＭ機器情報をルータ４から受信する（ステップＳ１１）。取得部６３は、ＶＭ機器情報をＩＴセル管理部１５に送信する。そして、取得部６３は、起動すべき仮想マシン、起動すべき仮想ルータ、起動すべきＩＴセルの情報及び起動すべきＧＷセルの情報をＩＴセル管理部１５から取得する（ステップＳ１２）。ここで、起動すべき仮想マシンは、Ｗｅｂサーバ１９を起動する仮想マシン１７である。また、起動すべき仮想ルータは、Ｗｅｂサーバ１９を起動する仮想マシン１７に接続されている仮想ルータ１８である。さらに、起動すべきＩＴセルは、Ｗｅｂサーバ１９を起動する仮想マシン１７を含むＩＴセル１１である。
【００６３】
依頼部６２は、運用段階用のIP-VPNの作成、及び２組の運用段階用ＰＰＰｏＥ設定情報の作成を通信事業者に依頼する（ステップＳ１３）。ここでは、依頼部６２は、通信事業者のサイト（例えば「フレッツ光ネクスト  サービス申込受付ページ  フレッツ  ＶＰＮ・ワイド設定メニュー」）にアクセスして、依頼を実行する。尚、ステップＳ１３の工程は、ＶＭサービスデータセンタ２の管理者が運用段階用のIP-VPNの作成、及び２組の運用段階用ＰＰＰｏＥ設定情報の作成を通信事業者に依頼してもよい。その後、通信事業者が運用段階用のIP-VPNを作成する。
【００６４】
取得部６３は、２組の運用段階用ＰＰＰｏＥ設定情報を通信事業者から取得する（ステップＳ１４）。次いで、送信部６５は、１組の運用段階用ＰＰＰｏＥ設定情報をルータ４に送信する（ステップＳ１５）。ステップＳ１５により、ルータ４のＰＰＰｏＥ処理部７７が運用段階用ＰＰＰｏＥ設定情報を使って、ステップＳ１２で取得されたＧＷセルの情報に対応するＧＷセル１２への通信路を開設する。送信部６５は、他の１組の運用段階用ＰＰＰｏＥ設定情報を、ステップＳ１２で取得されたＧＷセルの情報に対応するＧＷセルに送信する（ステップＳ１６）。ステップＳ１６により、ステップＳ１２で取得されたＧＷセルの情報に対応するＧＷセル１２が、運用段階用ＰＰＰｏＥ設定情報を使って、ルータ４への通信路を開設する。
【００６５】
指示部６４は、ステップＳ１２で取得した、起動すべき仮想マシン１７及び起動すべき仮想ルータ１８の情報に対応する仮想マシン１７及び仮想ルータ１８の起動をＩＴセル管理部１５に指示する（ステップＳ１７）。その後、送信部６５は、起動した仮想ルータ１８のＩＰアドレスをルータ４に送信し、ルータ４のＩＰアドレスを、起動した仮想ルータ１８に送信する（ステップＳ１８）。ステップＳ１８により、起動した仮想ルータ１８は、Ethernet over IP機能、即ちデータをＩＰパケット化し送受信する機能を設定する。そして、起動した仮想ルータ１８は、ルータ４のＩＰアドレスに基づいて、ＧＷセル１２からルータ４までの通信路を介してルータ４と通信する。また、ルータ４は、Ethernet over IP機能、即ちデータをＩＰパケット化し送受信する機能を設定する。そして、ルータ４は、仮想ルータ１８のＩＰアドレスに基づいて、ＧＷセル１２からルータ４までの通信路を介して起動した仮想ルータ１８と通信する。
【００６６】
ステップＳ１１〜Ｓ１８の工程により、ルータ管理部１６は、顧客ＰＣ６がルータ４、ＰＰＰｏＥ網３（IP-VPN）、ＧＷセル１２及び仮想ルータ１８を介してＷｅｂサーバ１９を起動する仮想マシン１７にアクセスすることを補助することができる。
【００６７】
次に、送信部６５は、ルータから指定されたＶＭ機器情報に基づいて新たに起動した仮想ルータ１８のＩＰアドレスをルータ４に送信する。さらに、送信部６５は、ルータ４のＩＰアドレスを当該新たに起動した仮想ルータ１８に送信する（ステップＳ１９）。ステップＳ１９により、新たに起動した仮想ルータ１８は、Ethernet over IP機能、即ちデータをＩＰパケット化し送受信する機能を設定する。そして、新たに起動した仮想ルータ１８は、ルータ４のＩＰアドレスに基づいて、ＧＷセル１２からルータ４までの通信路を介してルータ４と通信する。また、ルータ４は、Ethernet over IP機能、即ちデータをＩＰパケット化し送受信する機能を設定する。そして、ルータ４は、新たに起動した仮想ルータ１８のＩＰアドレスに基づいて、ＧＷセル１２からルータ４までの通信路を介して新たに起動した仮想ルータ１８と通信する。
【００６８】
ステップＳ１９の工程により、ルータ管理部１６は、顧客ＰＣ６がルータ４、ＰＰＰｏＥ網３（IP-VPN）、ＧＷセル１２及び仮想ルータ１８を介して新たに起動した仮想マシン１７にアクセスすることを補助することができる。
【００６９】
図８は、ＩＴセル管理部１５が実行する処理を示すフローチャートである。まず、ＩＴセル管理部１５は、ルータ４からルータ管理部１６を介してＷｅｂサーバ１９を含むＩＴセル１１を特定するＶＭ機器情報を受信する（ステップＳ２１）。ＩＴセル管理部１５は、受信したＶＭ機器情報に基づいて、データベース１５Ａに登録されている仮想マシン１７、仮想モデム１８、ＩＴセル１１、及びＧＷセル１２を選択する（ステップＳ２２）。ここで、選択した仮想マシン１７は、Ｗｅｂサーバ１９を起動する仮想マシンである。選択した仮想ルータ１８は、Ｗｅｂサーバ１９を起動する仮想マシン１７に接続された仮想ルータである。選択したＩＴセル１１は、Ｗｅｂサーバ１９を起動する仮想マシン及びその仮想マシンに接続された仮想ルータを含むＩＴセルである。ＩＴセル管理部１５は、選択した仮想マシン１７、選択した仮想ルータ１８、選択したＩＴセル１１、及び選択したＧＷセル１２を起動する（ステップＳ２３）。
【００７０】
次いで、ＩＴセル管理部１５は、ルータ４からＷｅｂサーバ１９を含むＩＴセル１１を介してＶＭ機器情報を受信する（ステップＳ２４）。このＶＭ機器情報は、ルータ４がＳＤカードから読みだしたＶＭ機器情報である。ＩＴセル管理部１５は、受信したＶＭ機器情報に基づいて、データベース１５Ａに登録されているＩＴセル１１及びＧＷセル１２を起動する。そして、ＩＴセル管理部１５は、起動したＩＴセル１１内に新たに仮想マシン１７及び仮想モデム１８を作成し、起動する（ステップＳ２５）。
【００７１】
本処理によれば、ＩＴセル管理部１５は、Ｗｅｂサーバ１９を含むＩＴセル１１を特定するＶＭ機器情報に基づいて、Ｗｅｂサーバ１９を起動する仮想マシン１７を起動するので、ルータ４からＶＭ機器情報を受信することができる。また、ＩＴセル管理部１５は、ルータ４がＳＤカードから読み出したＶＭ機器情報に基づいて新たな仮想マシン及び新たな仮想モデムを作成し、起動することができる。
【００７２】
図９は、Ｗｅｂサーバ１９を起動する仮想マシン１７を有するＩＴセル１１が実行する処理を示すフローチャートである。尚、Ｗｅｂサーバ１９を起動する仮想マシン１７及び仮想ルータ１８を有するＩＴセル１１が起動しているものとする。
【００７３】
ＩＴセル１１内の仮想ルータ１８は、ルータ管理部１６からルータ４のＩＰアドレスを受信する（ステップＳ３１）。仮想ルータ１８は、Ethernet over IP機能、即ちデータをＩＰパケット化し送受信する機能を設定する。そして、仮想ルータ１８は、ルータ４のＩＰアドレスに基づいて、ＧＷセル１２からルータ４までの通信路を介してルータ４と通信する（ステップＳ３２）。
【００７４】
Ｗｅｂサーバ１９は、ルータ４からＶＭ機器情報を取得する（ステップＳ３３）。Ｗｅｂサーバ１９は、ＶＭ機器情報をＩＴセル管理部１５に送信する（ステップＳ３４）。これにより、ＩＴセル管理部１５は、受信したＶＭ機器情報に基づいて、データベース１５Ａに登録されているＩＴセル１１及びＧＷセル１２を選択し、選択したＩＴセル１１内に新たに仮想マシン１７及び仮想モデム１８を作成し、起動する。
【００７５】
ここで、第１送信手段、取得手段及び第２送信手段の一例は、ステップＳ３３〜Ｓ３４を実行するＷｅｂサーバ１９である。Ｗｅｂサーバ１９は、ＩＴセル１１のＣＰＵ５１が所定のソフトウエア（例えば、仮想マシン用アプリケーション）を実行することで実現される。
【００７６】
図１０及び図１１は、情報管理システム１が実行する処理のシーケンスを示す図である。まず、ルータ４の工場出荷時に、ルータ４のメモリ７２には、Ｗｅｂサーバ１９を起動する仮想マシン１７を含むＩＴセル１１を特定するＶＭ機器情報が設定されている（ステップＳ４１）。次に、ルータ４の接続時に、ルータ４のＰＰＰｏＥ処理部７７は、ＰＰＰｏＥ認証情報ＤＢ７９に格納された設定段階用ＰＰＰｏＥ設定情報を使って設定段階のＰＰＰｏＥによるＧＷセル１２への通信路を開設する（ステップＳ４２）。ルータ４のＰＰＰｏＥ処理部７７は、接続開始を示すパケット及びＶＭ機器情報をルータ管理部１６に送信する（ステップＳ４３）。
【００７７】
ルータ管理部１６は、接続開始を示すパケット及びＶＭ機器情報をルータ４から受信する（ステップＳ４４）。ルータ管理部１６は、ＶＭ機器情報をＩＴセル管理部１５に送信する（ステップＳ４５）。ＩＴセル管理部１５は、ＶＭ機器情報を受信し、起動すべき仮想マシン１７、起動すべき仮想ルータ１８、起動すべきＩＴセル１１及び起動すべきＧＷセル１２を選択する（ステップＳ４６）。起動すべき仮想マシン１７は、Ｗｅｂサーバ１９を起動する仮想マシンである。
【００７８】
そして、ルータ管理部１６は、起動すべき仮想マシン１７、起動すべき仮想ルータ１８、起動すべきＩＴセル１１及び起動すべきＧＷセル１２の情報をＩＴセル管理部１５から取得する（ステップＳ４７）。ルータ管理部１６は、運用段階用のIP-VPNの作成、及び２組の運用段階用ＰＰＰｏＥ設定情報の作成を通信事業者に依頼する（ステップＳ４８）。通信事業者は、ルータ管理部１６からの依頼に応じて運用段階用のIP-VPNを開設し、２組の運用段階用ＰＰＰｏＥ設定情報をルータ管理部１６に返信する。ルータ管理部１６は、１組の運用段階用ＰＰＰｏＥ設定情報をルータ４に、他の１組の運用段階用ＰＰＰｏＥ設定情報を、起動すべきＧＷセルに送信する（ステップＳ４９）。
【００７９】
ルータ４のＰＰＰｏＥ処理部７７は、運用段階用ＰＰＰｏＥ設定情報を使って、起動すべきＧＷセル１２への通信路を開設する（ステップＳ５０）。また、起動すべきＧＷセル１２が、運用段階用ＰＰＰｏＥ設定情報を使って、ルータ４への通信路を開設する（ステップＳ５１）。ステップＳ５０，Ｓ５１により、ルータ４及び起動すべきＧＷセル１２は、イーサネットを使った仮想私設通信網を介して互いに接続できる。
【００８０】
次に、ルータ管理部１６は、ステップＳ４７で取得した起動すべき仮想マシン１７及び起動すべき仮想ルータ１８の情報に対応する仮想マシン１７及び仮想ルータ１８の起動をＩＴセル管理部１５に指示する（ステップＳ５２）。ＩＴセル管理部１５は、起動すべきＩＴセル１１に、起動すべき仮想マシン１７、即ちＷｅｂサーバ１９を起動する仮想マシン１７、及び起動すべき仮想ルータ１８を起動させる（ステップＳ５３）。ＩＴセル管理部１５で選択されたＩＴセル１１は、Ｗｅｂサーバ１９を起動する仮想マシン１７及び起動すべき仮想ルータ１８を起動する（ステップＳ５４）。
【００８１】
その後、ルータ管理部１６は、起動した仮想ルータ１８のＩＰアドレスをルータ４へ、ルータ４のＩＰアドレスを起動した仮想ルータ１８へそれぞれ送信する（ステップＳ５５）。ルータ４は、起動した仮想ルータ１８のＩＰアドレスをルータ管理部１６から受信する。ルータ４は、Ethernet over IP機能を設定し、受信されたＩＰアドレスに基づいて、ＧＷセル１２からルータ４までの通信路を介して起動した仮想ルータ１８と通信する（ステップＳ５６）。ＩＴセル１１内の起動した仮想ルータ１８は、ルータ管理部１６からルータ４のＩＰアドレスを受信する。起動した仮想ルータ１８は、Ethernet over IP機能、即ちデータをＩＰパケット化し送受信する機能を設定する。同時に、起動した仮想ルータ１８は、受信されたＩＰアドレスに基づいて、ＧＷセル１２からルータ４までの通信路を介してルータ４と通信する（ステップＳ５７）。
【００８２】
ステップＳ４１〜Ｓ５７の工程により、顧客ＰＣ６は、Ｗｅｂサーバ１９を起動する仮想マシン１７と通信可能になる。
【００８３】
次に、ルータ４は、ＳＤカードからＶＭ機器情報を読み出し、選択したＶＭ機器情報を、Ｗｅｂサーバ１９を起動する仮想マシン１７に返信する（ステップＳ５８）。
【００８４】
Ｗｅｂサーバ１９は、ＳＤカードから読み出されたＶＭ機器情報を取得する（ステップＳ５９）。Ｗｅｂサーバ１９は、取得したＶＭ機器情報をＩＴセル管理部１５に送信する（ステップＳ６０）。ＩＴセル管理部１５は、受信したＶＭ機器情報に基づいて、データベース１５Ａに登録されているＩＴセル１１及びＧＷセル１２を起動する。そして、ＩＴセル管理部１５は、起動したＩＴセル１１内に新たに仮想マシン１７及び仮想モデム１８を作成し、起動させる（ステップＳ６１）。これにより、新たな仮想マシン１７及び新たな仮想モデム１８が起動する（ステップＳ６２）。
【００８５】
その後、ルータ管理部１６は、新たに起動した仮想ルータ１８のＩＰアドレスをルータ４へ、ルータ４のＩＰアドレスを新たに起動した仮想ルータ１８へそれぞれ送信する（ステップＳ６３）。ルータ４は、新たに起動した仮想ルータ１８のＩＰアドレスをルータ管理部１６から受信する。ルータ４は、Ethernet over IP機能を設定し、受信されたＩＰアドレスに基づいて、新たに起動した仮想ルータ１８と通信する（ステップＳ６４）。ＩＴセル１１内の新たに起動した仮想ルータ１８は、ルータ管理部１６からルータ４のＩＰアドレスを受信する。新たに起動した仮想ルータ１８は、Ethernet over IP機能を設定し、受信されたＩＰアドレスに基づいて、ルータ４と通信する（ステップＳ６５）。
【００８６】
ステップＳ５８〜Ｓ６５の工程により、顧客ＰＣ６は、ＳＤカードからよみだされたＶＭ機器情報に対応する新たな仮想マシン１７と通信可能になる。
【００８７】
・実施例２のまとめ
上述してきたように本実施例２によれば、ルータ４がＰＰＰｏＥ網３と顧客ＰＣ６との間に接続されたときに、ＩＴセル１１内の仮想マシン１７上で起動するＷｅｂサーバ１９が、ＳＤカードに記録されたＶＭ機器情報をルータ４から受信し、ＶＭ機器情報に基づいて新たな仮想マシン及び仮想モデムを作成し起動するＩＴセル管理部１５に送信する。よって、顧客ＰＣ６の使用者がルータ４の設置後に新たに起動する仮想マシン及び仮想モデムをＳＤカードの選択によって選ぶことができる。
【００８８】
Ｗｅｂサーバ１９を含むＩＴセル１１の機能を実現するためのプログラムが記録されている記録媒体を、ＩＴセル１１に供給し、ＩＴセル１１のＣＰＵ５１が記憶媒体に格納されたプログラムを実行してもよい。また、ＩＴセル管理部１５又はルータ管理部１６の機能を実現するためのプログラムが記録されている記録媒体を、管理サーバ１４に供給し、管理サーバ１４のＣＰＵ５１が記憶媒体に格納されたプログラムを実行してもよい。プログラムを供給するための記憶媒体としては、例えば、ＣＤ−ＲＯＭ（Compact Disk Read Only Memory）、ＤＶＤ（Digital Versatile Disk）、又はＳＤ（Secure Digital）メモリカードなどがある。
【００８９】
また、ＩＴセル１１のＣＰＵ５１が、Ｗｅｂサーバ１９、仮想マシン１７及び仮想ルータ１８の機能を実現するためのソフトウェアのプログラムを実行することによっても、上記実施の形態と同様の効果を奏する。管理サーバ１４のＣＰＵ５１が、ＩＴセル管理部１５又はルータ管理部１６の機能を実現するためのソフトウェアのプログラムを実行することによっても、上記実施の形態と同様の効果を奏する。
【符号の説明】
【００９０】
１  情報管理システム
２  ＶＭ（Virtual Machine）サービスデータセンタ
３  ＰＰＰｏＥ（Point to Point Protocol over Ethernet）網
４，１０１  ルータ
５  顧客用イントラネット
６  顧客ＰＣ（Personal Computer）
７  ＳＤカード
１１  ＩＴ（Information Technology）セル
１２  ＧＷ（Gateway）セル
１４  管理サーバ
１３  ＬＡＮ（Local Area Network）
１７  仮想マシン
１８  仮想ルータ
１９  Ｗｅｂサーバ
１００  ネットワーク
１０２  読み出し部
１０３  要求部
１０４  ルーティング部
１１１  作成装置
１１２  提供装置
１１３  外部装置
【図１】
2011160300.tif 000003
【図２】
2011160300.tif 000004
【図３】
2011160300.tif 000005
【図４】
2011160300.tif 000006
【図５】
2011160300.tif 000007
【図６】
2011160300.tif 000008
【図７】
2011160300.tif 000009
【図８】
2011160300.tif 000010
【図９】
2011160300.tif 000011
【図１０】
2011160300.tif 000012
【図１１】
2011160300.tif 000013